(57)【要約】【課題】より小型な照明装置を提供する。【解決手段】実施形態の照明装置は、光源部を配設するとともに下方に環状のフランジ部を有し、上方に延在する略円筒状の筐体と、筐体の上面から立設された第一の放熱フィンと、筐体の上面に設けられた端子台と、筐体のフランジ部背面から放射状に立設された第二の放熱フィンと、筐体を被取付部に取り付けるための取付部とを具備する。【選択図】図１
2015170474.tif 000002
【特許請求の範囲】
【請求項１】
光源部を配設するとともに下方に環状のフランジ部を有し、上方に延在する略円筒状の筐体と；
前記筐体の上面から立設された第一の放熱フィンと；
前記筐体の上面に設けられた端子台と；
前記筐体のフランジ部背面から放射状に立設された第二の放熱フィンと；
前記筐体を被取付部に取り付けるための取付部と；
を具備する照明装置。
【請求項２】
前記取付部は、前記筐体の上面に設けられた端子台の中心位置と対応する、前記筐体の外周面の位置に設けられる、
請求項１に記載の照明装置。
【請求項３】
前記端子台は、前記筐体の上面から離間距離を空けて、端子の接続にかかる器具を支持する、
請求項１又は２に記載の照明装置。
【発明の詳細な説明】
【技術分野】
【０００１】
本発明の実施形態は、照明装置に関する。
【背景技術】
【０００２】
従来、住宅、店舗等の施設の天井に埋設して設置される照明装置がある。かかる照明装置では、ＬＥＤ（Light  Emitting  Diode）等の半導体発光素子を光源とする光源部を実装した筐体を天井に埋設し、光源部からの光を下向きに照射する。この筐体については、種々の仕様に対応した小型なものが求められている。一例として、筐体には、光源部からの熱を放熱するための放熱フィンを頂上部に備え、その放熱フィンの更に上の頂上部に設置した天板上に、光源部への電源・信号ケーブルを接続する端子台を備えていた。このため、照明装置は、鉛直方向に長く突出した形状となり、天井部分へ埋め込む部分の長さが長くなることから、天井のレイアウトに合わせたより小型なものが求められている。
【先行技術文献】
【特許文献】
【０００３】
【特許文献１】特開２０１１−２２２４３３号公報
【発明の概要】
【発明が解決しようとする課題】
【０００４】
本発明が解決しようとする課題は、より小型な照明装置を提供することである。
【課題を解決するための手段】
【０００５】
実施形態の照明装置は、光源部を実装する筐体と、筐体の頂上部の上面において一領域に立設された第１の放熱フィンと、筐体の頂上部の上面において一領域とは異なる領域に設けられた端子台と、筐体の外周面において外周方向に向かって放射状に設けられた第２の放熱フィンと、筐体の外周面に所定間隔で複数設けられ、筐体を天井の埋設穴に埋め込んで取り付ける取り付けばね部と、を具備する。
【図面の簡単な説明】
【０００６】
【図１】図１は、第１の実施形態にかかる照明装置を示す斜視図である。
【図２】図２は、筐体を示す底面図である。
【図３】図３は、端子台の分解斜視図である。
【図４】図４は、筐体を示す平面（上面）図である。
【図５】図５は、筐体を示す平面（上面）図である。
【図６】図６は、第２の実施形態にかかる照明装置を示す斜視図である。
【図７】図７は、第２の実施形態にかかる照明装置を示す斜視図である。
【図８】図８は、第３の実施形態にかかる照明装置を示す斜視図である。
【図９】図９は、光源取り付け器具の分解斜視図である。
【図１０】図１０は、板材を筐体の底面へ取り付けた状態の底面図である。
【図１１】図１１は、板材を筐体の底面へ取り付けた状態の底面図である。
【発明を実施するための形態】
【０００７】
以下、図面を参照して、実施形態にかかる照明装置を説明する。実施形態において同一の機能を有する構成には同一の符号を付し、重複する説明は省略する。なお、以下の実施形態で説明する照明装置は、一例を示すに過ぎず、実施形態を限定するものではない。例えば、以下の実施形態では、照明装置は、建物の天井に設置される、ＬＥＤ等を光源とするユニバーサルダウンライトである。しかし、これに限らず、照明装置は、広く半導体光源一般を光源とするものであってもよい。また、以下の実施形態および各変形例は、矛盾しない範囲内で適宜組みあわせてもよい。
【０００８】
以下で説明する一実施形態にかかる照明装置１は、光源部１０を配設するとともに下方に環状のフランジ部２０７を有し、上方に延在する略円筒状の筐体２０と、筐体２０の上面３００に立設された放熱フィン３０１と、筐体２０の上面３００に設けられた端子台３０２と、筐体２０のフランジ部２０７背面から放射状に立設された放熱フィン２０６と、筐体２０を被取付部である埋設穴２に取り付けるための取り付けばね部２０１とを具備する。
【０００９】
また、以下で説明する実施形態にかかる照明装置１において、取り付けばね部２０１は、筐体２０の上面３００に設けられた端子台３０２の中心位置と対応する、筐体２０の外周面２００の位置に設けられる。
【００１０】
また、以下で説明する実施形態にかかる照明装置１において、端子台３０２は、筐体２０の上面３００から離間距離を空けて、端子の接続にかかる器具（端子コネクタ３０４、３０５、ケーブル抑え３０６、３０７）を支持する。
【００１１】
（第１の実施形態）
図１は、第１の実施形態にかかる照明装置１を示す斜視図である。図１に示すように、照明装置１は、ＬＥＤ等の半導体発光素子を光源とする光源部１０と、この光源部１０を実装する筐体２０とを具備する。照明装置１は、光源部１０を実装した筐体２０を天井に設けられた埋設穴２に埋め込んで設置され、光源部１０からの光を下向きに照射する。
【００１２】
筐体２０は、下方向において略円状に開口する略円筒状であり、外周面２００の放熱フィン２０６と、上面３００の放熱フィン３０１とが熱伝導性の高い金属により一体形成されている。具体的には、筐体２０は、亜鉛、アルミニウム、マグネシウムなどの合金によるダイキャスト製である。このように、筐体２０は、熱伝導性の高い金属によるダイキャスト製で放熱フィン２０６、３０１を一体形成することによって、放熱効率を高めるとともに、筐体２０自体にも放熱の機能を持たせている。
【００１３】
筐体２０の外周面２００には、下方に略円環状のフランジ部２０７が設けられている。筐体２０は、フランジ部２０７より上方に延在する略円筒形状である。フランジ部２０７の内周の背面から立設する壁部分には、略等間隔で配置される複数の取り付けばね部２０１と、取り付けばね部２０１の間において複数立設された放熱フィン２０６が設けられている。
【００１４】
取り付けばね部２０１は、埋設穴２に取り付けるための、例えばトーションばねであり、固定部材２０２、コイルばね２０３、アーム２０４及びキャップ部２０５を有する。固定部材２０２は、外周面２００に設けられた所定の嵌入溝に嵌入されることにより、コイルばね２０３を固定する。コイルばね２０３は、外周面２００の周方向にコイルが伸び、アーム２０４に弾性力を与えるバネである。具体的には、コイルばね２０３は、両端から内側に巻かれた２つのコイルの内側端部より伸びるアーム２０４に対して、下向きの弾性力を与える。アーム２０４は、コイルばね２０３の内側端部より伸び、先端にキャップ部２０５を有する針金などである。キャップ部２０５は、例えばシリコン樹脂などの合成樹脂により形成される。
【００１５】
アーム２０４は、外力が掛けられていない初期態様において外向きに垂れ下がっており、筐体２０を埋設穴２に埋め込む前に外力により上向きにされる。これにより、アーム２０４の先端にあるキャップ部２０５が埋設穴２の径より内側となり、筐体２０を埋設穴２に埋め込むことが可能となる。そして、取り付けばね部２０１は、筐体２０を埋設穴２に埋め込んだ際に、コイルばね２０３の弾性力が与えられたアーム２０４により筐体２０を押し上げ、埋設穴２の縁に筐体２０のフランジ部２０７を押え付けることにより、照明装置１を天井に固定する。
【００１６】
放熱フィン２０６は、略等間隔で配置される複数の取り付けばね部２０１の間において、フランジ部２０７の内周から立設して上面３００に至るまでの壁部分より外周に向かって放射状に複数、略等間隔に設けられている。この放熱フィン２０６の形状は、埋設穴２の内部における形状に合わせたものであってよく、例えば、下方より上面３００に向かうに従って外周方向に突出する部分の長さを短くしてもよい。照明装置１では、筐体２０の外周面２００において放熱フィン２０６を設けることで、外周面２００側からも十分な放熱を行うことが可能となる。このため、照明装置１では、上面３００の放熱フィン３０１を小さくする場合や、放熱フィン３０１の設置面積を狭くする場合であっても筐体２０全体としての放熱性能を維持できる。
【００１７】
図２は、筐体２０を示す底面図である。図２に示すように、筐体２０は、光源部１０を下向きに実装するための内周面２０８と、底面２０９とを有する。内周面２０８は、筐体２０の内部における筒状の壁面である。底面２０９は、裏側が上面３００となる壁面であり、光源部１０などをネジ止めするためのネジ穴２１０と、上面３００側よりケーブル（電源線、信号線など）を通すためのケーブル穴２１１とを有する。光源部１０は、内周面２０８に囲まれた筐体２０の内部において、底面２０９に取り付けられる。
【００１８】
筐体２０の上面３００には、立設する複数の放熱板より構成される放熱フィン３０１と、光源部１０の電源線及び信号線等のケーブル（図示しない）との接続を行うために実装される端子台３０２とが設けられている。具体的には、上面３００の略半分の面積となる半円形領域において放熱フィン３０１が設けられ、残りの半円形領域において端子台３０２が設けられている。このように、筐体２０の上面３００では、端子台３０２等が実装される領域のみ放熱フィン３０１が無く、放熱フィン３０１を切り欠いた領域に端子台３０２等が実装される。
【００１９】
照明装置１では、筐体２０の外周面２００において放熱フィン２０６を設けていることから、放熱フィン３０１を小型化する場合であっても十分な放熱性能を確保できる。例えば、放熱フィン３０１が鉛直方向に伸びる長さを短くできる。また、上面３００の全領域にわたって放熱フィン３０１を設置することなく、上面３００の一部の領域に端子台３０２を設けることができる。このため、照明装置１は、放熱フィン３０１の更に上部に端子台３０２を設ける構成と比べて、鉛直方向における突出部分を短く、より小型なものとすることができる。
【００２０】
なお、上面３００において放熱フィン３０１が設けられる領域と、端子台３０２が設けられる領域の形状及び面積比などについては、特に例示した実施形態に限定しない。例えば、端子台３０２における端子数が多い場合には、端子台３０２が設けられる領域の面積を、放熱フィン３０１が設けられる領域の面積よりも広くしてもよい。また、放熱フィン３０１が設けられる領域の面積を、端子台３０２が設けられる領域の面積よりも広くする場合は、放熱に寄与できる範囲が増えることとなり、より多くの放熱フィンを設置できるので、個々の放熱フィンの高さを低くすることができる。このため、照明装置１は、鉛直方向における突出部分を短く、より小型なものとすることができる。
【００２１】
端子台３０２は、カバー部材３０３で覆われた内部において、外部からの電源線及び信号線と、光源部１０への電源線及び光源部１０への調光を指示する信号線とを接続する端子コネクタ３０４、３０５、外部からの電源線及び信号線を抑えるケーブル抑え３０６、３０７とを有する。
【００２２】
図３は、端子台３０２の分解斜視図である。図３に示すように、端子台３０２の所定位置には、カバー部材３０３、端子コネクタ３０４、３０５、ケーブル抑え３０６、３０７を取り付けるためのコネクタ取付ボス３０８、抑え取付ボス３０９、カバー取付ボス３１０が上面３００より突出して形成されている。カバー部材３０３は、例えば難燃性の合成樹脂（ＰＢＴ（ポリブチレンテレフタレート）樹脂等）で端子台３０２全体を覆うように形成される。また、端子台３０２は、内部の様子が分かりやすいように、半透明で色付けされたものであってよい。端子台３０２は、外部からのケーブル（図示しない）と光源部１０からのケーブル（図示しない）を端子コネクタ３０４、３０５に接続し、外部からのケーブルをケーブル抑え３０６、３０７で抑えた後に、カバー取付ボス３１０の頂上部分にネジなどで取り付けられる。
【００２３】
端子コネクタ３０４、３０５は、上面３００より突出して形成されたコネクタ取付ボス３０８の頂上部分にネジなどで取り付けられる。このため、端子コネクタ３０４、３０５は、上面３００より間隙をおいて設置されることから、上面３００からの熱的影響が緩和される。なお、端子コネクタ３０４、３０５を上面３００より間隙をおいて設置するための部材は、上面３００より突出して形成されたコネクタ取付ボス３０８だけでなく、放熱フィン３０１の中間部に設けた台座などであってもよい。具体的には、放熱フィン３０１の頂上部分までの間の中間部に台座を設け、その台座に端子コネクタ３０４、３０５を設置する構成であってもよい。
【００２４】
ケーブル抑え３０６は、下部抑え３０６Ａと上部抑え３０６Ｂとの間にケーブルを挟み込んで、上面３００より突出して形成された抑え取付ボス３０９の頂上部分にネジなどで取り付けられる。同様に、ケーブル抑え３０７は、下部抑え３０７Ａと上部抑え３０７Ｂとの間にケーブルを挟み込んで、上面３００より突出して形成された抑え取付ボス３０９の頂上部分にネジなどで取り付けられる。このため、ケーブル抑え３０６、３０７は、上面３００より間隙をおいて設置されることから、端子台３０２からの熱的影響が緩和される。なお、ケーブル抑え３０６、３０７を上面３００より間隙をおいて設置するための部材は、上面３００より突出して形成された抑え取付ボス３０９だけでなく、放熱フィン３０１の中間部に設けた台座などであってもよい。具体的には、放熱フィン３０１の頂上部分までの間の中間部に台座を設け、その台座にケーブル抑え３０６、３０７を設置する構成であってもよい。
【００２５】
図４、５は、筐体２０を示す平面（上面）図である。なお、図５は、図４の放熱フィン３０１とは放熱板の配置の異なる放熱フィン３０１Ａを上面より例示する図である。図４に示すように、放熱フィン３０１は、上面３００の中心から外周方向に向かう複数の放熱板が放射状に立設されている。具体的には、放熱フィン３０１が設置される半円形領域の底面部分においてＸ方向に向かって立設される放熱板と、その放熱板の中心部分からＺ方向に向かって立設される放熱板と、その２つの放熱板の間において一定間隔で斜めに向かって立設される複数の放熱板と有する。放熱フィン３０１は、これらの放熱板により、効率的な放熱を行うことが可能となる。
【００２６】
なお、図５に示すように、放熱フィン３０１Ａは、上面３００の中心から外周方向に向かう複数の放熱板が放射状に立設されるとともに、外周面２００における放熱フィン２０６と一体的に形成されてもよい。具体的には、上面３００の中心から外周方向に向かう放熱フィン３０１Ａの一つの放熱板が、そのまま放熱フィン２０６の一つの放熱板として外周方向に向かって立設されてもよい。このように、放熱フィン３０１Ａと、放熱フィン２０６とを一体的に形成することで、放熱板の意匠的な見栄えをよくすることができる。
【００２７】
また、取り付けばね部２０１の各々の設置位置は、筐体２０の重量バランスを考慮して設けられている。具体的には、図４に示すように、上面３００の頂上に設けられた放熱フィン３０１の無い領域である、端子台３０２の設置位置（上面３００において端子台３０２が占める扇型の領域）を中心にして支える一つの取り付けばね部２０１が設けられる。そして、この一つの取り付けばね部２０１に対して、他の２つの取り付けばね部２０１が時計回りの周方向において約１２０度のところと、反時計周りの周方向において約１２０度のところとに設けられる。
【００２８】
より具体的には、端子台３０２の設置位置を中心にして支える一つの取り付けばね部２０１は、上面３００を中心とした外周方向における円の周長として端子台３０２に対応する部分の周長（Ｃ１＋Ｃ２）を換算したときに、周長Ｃ１と、周長Ｃ２とを略同じとする位置に設けられる。これにより、取り付けばね部２０１のばね力における作用線の中心は、端子台３０２の設置位置の中心と略一致する。これにより、取り付けばね部２０１は、端子台３０２の左右（Ｘ方向）の重量バランスのよいところで筐体２０を支えることができる。このため、天井への施工時において、安定した取り付けが可能となる。なお、本実施形態では、放熱フィン３０１が設置される領域ではない、端子台３０２が占める領域を半円形状としているが、更に狭い範囲（例えば略４５度程度の扇型となる範囲）としてもよい。
【００２９】
（第２の実施形態）
図６、７は、第２の実施形態にかかる照明装置１ａを示す斜視図である。より具体的には、図６は、取り付けばね部２３０に対して外力が掛けられていない初期態様において、取り付けばね部２３０が外向きに垂れ下がっている状態を例示する図である。また、図７は、取り付けばね部２３０が外力により上向きにされた状態を例示する図である。
【００３０】
図６に示すように、照明装置１ａは、例えば住宅用であり、消費電力量の少ない光源部を実装する。このことから、筐体２０ａは、外周面２００ａ、上面３００ａにおいて放熱フィンを設けることなく、十分に放熱できる。また、筐体２０ａは、放熱フィンを設けないことから、機器全体の重量を小さくでき、外周面２００ａに設けられた一つの取り付けばね部２３０によって天井に支えられる。
【００３１】
取り付けばね部２３０は、筐体２０ａを埋設穴２に埋め込んだ際に、埋設穴２の縁に筐体２０ａのフランジ部２０７を押え付けることにより、照明装置１ａを天井に固定する。具体的には、取り付けばね部２３０は、筐体２０ａの所定位置に設けられた取り付け軸２３２に一端が取り付けられた板材２３１と、取り付け軸２３２の上方の取り付け軸２３４に取り付けられたコイルばね２３３とを有する。
【００３２】
板材２３１は、取り付け軸２３２の取り付けられた端部から根元部２３１ａ、中間部２３１ｂ、及び先端部２３１ｃの順に延在し、周方向において所定幅の板金などである。中間部２３１ｂは、根元部２３１ａと先端部２３１ｃとの間に段差を設けている。具体的には、図７に示すように、中間部２３１ｂには、取り付けばね部２３０を上方向に持ち上げた際に、先端部２３１ｃ側を外周から内側へとずらす段差を設けている。先端部２３１ｃには、例えばシリコン樹脂などの合成樹脂により形成されたキャップ部２３５を設けている。キャップ部２３５は、取り付けばね部２３０を上方向に持ち上げた場合、根元部２３１ａから段差なく延在する位置と比較して、外周方向から内側に距離ｄのところにくる。したがって、照明装置１ａは、取り付けばね部２３０を上方向に持ち上げた場合であっても、キャップ部２３５を機器の外周から大きく出っ張らないようにすることができ、施工性を損なうことがない。
【００３３】
コイルばね２３３は、取り付け軸２３４に取り付けられたコイルが外周面２００ａの周方向に伸び、そのコイルの巻取り端部より延びる延在部２３６に対して下向きの弾性力を与えるバネである。筐体２０ａが放熱フィンを設けることなく、機器全体の重量を小さくしていることから、コイルばね２３３を小さく（周方向に延びるコイルの長さを短く）した場合であっても、コイルばね２３３は、筐体２０ａを天井に支えるのに十分な弾性力を延在部２３６に対して与えることができる。また、曲率の小さな外周面２００ａに対しても、出っ張ることなくコイルばね２３３を取り付けることができる。
【００３４】
延在部２３６は、コイルの巻取り端部より所定長のところに根元部２３１ａの板面を上側より押し付ける押付部２３７を有する。押付部２３７は、延在部２３６より板材２３１の幅方向に折れ曲がって延在しており、根元部２３１ａの板面に対して、幅方向における押し付ける力を均一となるようにする。このように、片持ちのコイルばね２３３によって、板材２３１の幅方向の一端側から押え付ける場合であっても、均一な押え付けを行うことで、板材２３１に生じる捻れを防止できる。
【００３５】
また、板材２３１を取り付ける取り付け軸２３２と、この板材２３１に対して下向きの力を加えるためのコイルばね２３３を取り付ける取り付け軸２３４とを上下にずらしているため、周方向における取り付けばね部２３０の設置幅を抑えることができる。
【００３６】
（第３の実施形態）
図８は、第３の実施形態にかかる照明装置１ｂを示す斜視図である。図８に示すように、照明装置１ｂは、筐体２０ｂの内部に設けられた光源取り付け器具２５０に光源部１０を実装する構成である。光源取り付け器具２５０は、筐体２０ｂにおける略円筒状の外周面２００ｂに対応した内周面２０８ｂに囲まれる領域に設置され、光源部１０を下向きにして受ける光源受け部２５１を有する。光源受け部２５１は、底面２５２に光源部１０を取り付けるための挿入孔２５３、ダルマ穴２５４を有する。光源受け部２５１は、鉛直方向における筐体２０ｂの中心を回転軸として回転可能となっており、光源部１０を回転可能に保持する。なお、光源受け部２５１の回動角度は、自由なものではなく、光源部１０と接続するケーブルに捻れが生じることを防止するため、所定の回動角度の範囲で規制されたものとなっている。
【００３７】
図９は、光源取り付け器具２５０の分解斜視図である。図９に示すように、光源取り付け器具２５０は、光源受け部２５１と、この光源受け部２５１を支持する支持部材２６０と、支持部材２６０が取り付けられる板材２７０とを有する。支持部材２６０は、中央部分を凸状としたＵ字形状の板金などであり、両端にネジ穴２６１と、凸状部分の中央にネジ穴２６２とを備える。両端のネジ穴２６１には、光源受け部２５１の側面に設けられたネジ穴２５６を通したネジにより、光源受け部２５１がネジ止めされる。ネジ穴２６２は、板材２７０のネジ穴２７１と、底面２０９ｂの略中央に設けられたネジ穴２１２を通したネジにより、ネジ穴２１２を軸として回転可能にネジ止めされる。
【００３８】
板材２７０は、底面２０９ｂと支持部材２６０との間に挟み込まれて設置され、底面２０９ｂの形状に合わせた略円形状の板金である。この板材２７０の厚みは、支持部材２６０の凸状の長さと比較して十分に薄いものである。したがって、板材２７０は、底面２０９ｂと支持部材２６０との間に挟み込まれて設置されたとしても、光源取り付け器具２５０の下向きにおける大きさを必要以上に大きくすることはない。
【００３９】
板材２７０は、ネジ穴２７１と、切り起こし部２７２と、切り欠き部２７３とを有する。ネジ穴２７１は、板材２７０の略中央に設けられ、ネジ穴２６２、２１２を通したネジを軸として板材２７０を回転可能とする。切り起こし部２７２は、切り起こし部２７２から外周に至る途上の板面を周方向に沿って切り起こし、下向きの突起を形成している。切り起こし部２７２は、支持部材２６０を板材２７０に取り付けた場合、下向きの突起に支持部材２６０の縁があたることで、板材２７０に対する支持部材２６０の回動角度が所定量（例えば３５０度）以上となることを阻止する。
【００４０】
切り欠き部２７３は、板材２７０の外周の一部を、周方向において所定幅で切り欠いたものである。板材２７０は、底面２０９ｂに取り付ける際に、この突起２１３が底面２０９ｂ上に設けられた突起２１３と合うようにして取り付けられる。
【００４１】
図１０、１１は、板材２７０を筐体２０ｂの底面２０９ｂへ取り付けた状態の底面図である。より具体的には、図１１は、図１０に例示した板材２７０を反時計回りに回して切り欠き部２７３の縁に突起２１３があたった状態を例示する図である。
【００４２】
図１０に示すように、板材２７０は、底面２０９ｂ上に設けられた突起２１３に、周方向における幅Ｗの切り欠き部２７３が収まるように取り付けられる。この時、板材２７０は、図１０、１１を比較しても明らかなように、切り欠き部２７３の縁に突起２１３が当たる範囲、すなわち周方向における幅Ｗの範囲で回動可能となる。
【００４３】
このため、底面２０９ｂに対する支持部材２６０の回動範囲は、板材２７０に対する支持部材２６０の回動範囲（例えば３５０度）に、周方向における幅Ｗの範囲が加えられたものとなる。したがって、周方向における幅Ｗの幅を任意にすることで、底面２０９ｂに対する支持部材２６０の回動範囲の上限値をより大きくすることができる。例えば、支持部材２６０により支持された光源受け部２５１に取り付けられる光源部１０の回動範囲は、板材２７０における切り欠き部２７３の幅Ｗを任意に設定することで、３５０度あるいは３５５度から３６０度以上とすることが可能となる。また、十分に薄い板材２７０を追加する構成で済むことから、光源取り付け器具２５０の下向きにおける大きさを必要以上に大きくすることはない。
【００４４】
（実施形態の効果）
上述してきたように、実施形態に係る照明装置１では、光源部１０を配設するとともに下方に環状のフランジ部２０７を有し、上方に延在する略円筒状の筐体２０と、筐体２０の上面３００に立設された放熱フィン３０１と、筐体２０の上面３００に設けられた端子台３０２と、筐体２０のフランジ部２０７背面から放射状に立設された放熱フィン２０６と、筐体２０を被取付部である埋設穴２に取り付けるための取り付けばね部２０１とを具備する。このため、実施形態にかかる照明装置１によれば、放熱フィン３０１では足りない放熱を放熱フィン２０６により賄いつつ、上面３００の一部の領域に端子台３０２を設けて、鉛直方向における突出部分を短く、より小型なものとすることができる。
【００４５】
また、実施形態にかかる照明装置１では、取り付けばね部２０１は、筐体２０の上面３００に設けられた端子台３０２の中心位置と対応する、筐体２０の外周面２００の位置に設けられる。このため、実施形態にかかる照明装置１によれば、取り付けばね部２０１は、端子台３０２の左右（Ｘ方向）の重量バランスのよいところで筐体２０を支えることができる。
【００４６】
また、実施形態にかかる照明装置１では、端子台３０２は、筐体２０の上面３００から離間距離を空けて、端子の接続にかかる器具（端子コネクタ３０４、３０５、ケーブル抑え３０６、３０７）を支持する。このため、実施形態にかかる照明装置１によれば、端子の接続にかかる器具（端子コネクタ３０４、３０５、ケーブル抑え３０６、３０７）は、上面３００より間隙をおいて設置されることから、上面３００からの熱的影響が緩和される。
【００４７】
また、実施形態にかかる照明装置１ａでは、板材２３１を取り付ける取り付け軸２３２と、この板材２３１に対して下向きの力を加えるためのコイルばね２３３を取り付ける取り付け軸２３４とを上下にずらしている。このため、筐体２０ａの周方向における取り付けばね部２３０の設置幅を抑えることができる。
【００４８】
また、実施形態にかかる照明装置１ａでは、取り付けばね部２３０の板材２３１が段差を設けた中間部２３１ｂを有するため、取り付けばね部２３０を上方向に持ち上げた場合であっても、キャップ部２３５を機器の外周から大きく出っ張らないようにすることができ、施工性を損なうことがない。
【００４９】
また、実施形態にかかる照明装置１ｂでは、筐体２０ｂの底面２０９ｂに板材２７０を介して支持部材２６０が取り付けられ、光源部１０を支持するための支持部材２６０の回動が規制される。板材２７０は、板材２７０に対する支持部材２６０の回動範囲を所定範囲とする切り起こし部２７２と、底面２０９ｂの突起２１３との組み合わせによって底面２０９ｂに対する板材２７０の回動範囲を所定範囲とする切り欠き部２７３とを有する。このため、筐体２０ｂに対する光源部１０の回動範囲は、例えば切り欠き部２７３の幅Ｗを任意に設定することで、３５０度あるいは３５５度から３６０度以上とすることが可能となる。
【００５０】
以上説明したとおり、上記実施形態によれば、より小型な照明装置を提供できる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１、１ａ、１ｂ…照明装置、２…埋設穴、１０…光源部、２０、２０ａ、２０ｂ…筐体、２００、２００ａ、２００ｂ…外周面、２０１、２３０…取り付けばね部、２０２…固定部材、２０３…コイルばね、２０４…アーム、２０５…キャップ部、２０６…放熱フィン、２０７…フランジ部、２０８、２０８ｂ…内周面、２０９、２０９ｂ…底面、２１０、２１２、２５６、２６１、２６２、２７１…ネジ穴、２１１…ケーブル穴、２１３…突起、２３１…板材、２３１ａ…根元部、２３１ｂ…中間部、２３１ｃ…先端部、２３２、２３４…取り付け軸、２３３…コイルばね、２３５…キャップ部、２３６…延在部、２３７…押付部、２５０…光源取り付け器具、２５１…光源受け部、２５２…底面、２５３…挿入孔、２５４…ダルマ穴、２６０…支持部材、２７０…板材、２７２…切り起こし部、２７３…切り欠き部、３００、３００ａ…上面、３０１、３０１Ａ…放熱フィン、３０２…端子台、３０３…カバー部材、３０４、３０５…端子コネクタ、３０６、３０７…ケーブル抑え、３０８…コネクタ取付ボス、３０９…抑え取付ボス、３１０…カバー取付ボス、Ｃ１、Ｃ２…周長、ｄ…距離、Ｗ…幅
【図１】
2015170474.tif 000003
【図２】
2015170474.tif 000004
【図３】
2015170474.tif 000005
【図４】
2015170474.tif 000006
【図５】
2015170474.tif 000007
【図６】
2015170474.tif 000008
【図７】
2015170474.tif 000009
【図８】
2015170474.tif 000010
【図９】
2015170474.tif 000011
【図１０】
2015170474.tif 000012
【図１１】
2015170474.tif 000013